(57)【要約】【課題】搬送ローラが正確に記録ライン分を送ることができる給紙装置及びこれを備えた画像形成装置を提供すること。【解決手段】シート収納手段に収納されたシートを送り出すシート給送手段と、前期シート給送手段によって送り出されたシートを１枚ずつ分離する分離斜面とにより、シートを１枚ずつ分離して給送する給紙装置で、前記給送手段を保持するアームが前記給送手段を駆動させる駆動軸にワンウェイクラッチを介し取り付けられ、駆動源からトルクリミッタを介して駆動軸に駆動力を伝達する。【選択図】図２
2006264905.tif 000002
【特許請求の範囲】
【請求項１】
シート収納手段に収納されたシートを送り出すシート給送手段と、前期シート給送手段によって送り出されたシートを１枚ずつ分離する分離斜面とにより、シートを１枚ずつ分離して給送する給紙装置で、前記給送手段を保持するアームが前記給送手段を駆動させる駆動軸にワンウェイクラッチを介し取り付けられ、駆動源からトルクリミッタを介して駆動軸に駆動力を伝達することを特徴とする給紙装置。
【請求項２】
前記駆動軸が正転時は、前記ワンウェイクラッチはフリー方向に回転し、シートを送り出し、逆転時は前記ワンウェイクラッチがロックし、前記アームに保持された前記給送手段をシートより持ち上げ、一定高さまで持ち上げた後、駆動源からの駆動力はトルクリミッタで遮断させ、駆動軸に伝達されないことを特徴とする請求項１記載の給紙装置。
【請求項３】
画像形成部と、前記画像形成部にシートを給送する給紙装置を備えた画像形成装置において、
前記給紙装置は前記請求項１又は２の何れか１項に記載の給紙装置であることを特徴とする画像形成装置。
【発明の詳細な説明】
【技術分野】
【０００１】
本発明は、給紙装置及びこれを備えた画像形成装置に関し、特に、分離斜面を用いてシートを分離したようにしたものに関する。
【背景技術】
【０００２】
従来、プリンタ、複写機、ファクシミリ等の画像形成装置においては、画像形成部にシートを給紙するための給紙装置を備えている。そして、このような給紙装置としては、例えば、シートを積載する給紙トレイの先端側に分離斜面を設けると共に、この分離斜面に送り出したシートを突き当てることにより、シートを一枚ずつ分離するようにした斜面分離方式のものがある（例えば、特許文献１参照。）。
【０００３】
図５は、このような斜面部材により、シートを分離する方式を用いた従来の給紙装置の概略構成を示すものである。図５において、２１５はシート給送手段である給紙ローラ、２１４は一端部に給紙ローラ２１５を回転自在に保持するとともにアーム軸２１４ａにより、回動自在に保持されている給紙アームである。
【０００４】
又、２１０はシートである記録紙Ｐを積載するシート積載手段である給紙カセット、２１９は給紙ローラ２１５の回転により送り出された記録紙Ｐに当接して記録紙Ｐを分離するための斜面部材である。この斜面部材２１９は、給紙カセット２１０のシート送り出し方向下流側端部に設けられている。
【０００５】
そして、給紙ローラ２１５によって送り出された最上位の記録紙Ｐ１は、斜面部材２１９により分離され、シート搬送通路Ｒを通過して不図示の画像記録部に搬送される。尚、このとき、給紙ローラ２１５により送り出されたシートＰ１が斜面部材２１９に沿って上方に向きを変えながらシート搬送通路Ｒに進入して行く。その後、搬送ローラ２１９とピンチローラ２１２によってプラテン２２５まで搬送され、記録ヘッド２１３による記録が行われた後、シートは排紙ローラ２１１ａと排紙拍車２１１ｂにより排紙される。
【０００６】
【特許文献１】特開２００２−２５５４０４号公報
【発明の開示】
【発明が解決しようとする課題】
【０００７】
しかしながら、このような従来の給紙装置及びこれを備えた画像形成装置においては、図６のように、記録ヘッド２０３による記録動作中に、シートにより給紙アームが持ち上げられバックテンションになる場合があった。搬送ローラ２１９は記録ヘッドの記録ライン分の記録長さを正確に送らなければならないので、この場合は、送り足りなくてラインの繋ぎ目にスジが入ってしまうという不具合が有った。
【０００８】
本発明は上記問題に鑑みてなされたもので、その目的とする処は、搬送ローラが正確に記録ライン分を送ることができる給紙装置及びこれを備えた画像形成装置を提供することである。
【課題を解決するための手段】
【０００９】
上記課題を達成するため、請求項１記載の発明は、シート収納手段に収納されたシートを送り出すシート給送手段と、前期シート給送手段によって送り出されたシートを１枚ずつ分離する分離斜面とにより、シートを１枚ずつ分離して給送する給紙装置で、前記給送手段を保持するアームが前記給送手段を駆動させる駆動軸にワンウェイクラッチを介し取り付けられ、駆動源からトルクリミッタを介して駆動軸に駆動力を伝達するように構成する。
【００１０】
請求項２記載の発明は、請求項１記載の給紙装置に関し、前記駆動軸が正転時は、前記ワンウェイクラッチはフリー方向に回転し、シートを送り出し、逆転時は前記ワンウェイクラッチがロックし、前記アームに保持された前記給送手段をシートより持ち上げ、一定高さまで持ち上げた後、駆動源からの駆動力はトルクリミッタで遮断させ、駆動軸に伝達されないように構成する。
【００１１】
請求項３記載の発明は、画像形成部と、前記画像形成部にシートを給送する給紙装置を備えた画像形成装置において、前記給紙装置は前記請求項又は２の何れか１項に記載の給紙装置であるように構成する。
【発明の効果】
【００１２】
本発明によれば、記録動作中に給紙アームをシートより持ち上げるので、シートにバックテンションが掛からず、搬送ローラが正確に記録ライン分を搬送することができる。
【発明を実施するための最良の形態】
【００１３】
以下、本発明の実施の形態を図面を用いて詳細に説明する。
【００１４】
図３は本発明の実施の形態に係る給紙装置を備えた記録装置の一例であるインクジェットプリンタの斜視図である。
【００１５】
図３において、１はインクジェットプリンタ、１Ａはプリンタ本体（以下、本体と言う）、３Ａは画像記録部である。画像記録部３Ａは、記録ヘッド３と、記録ヘッド３を搭載するためのキャリア２とを備えている。
【００１６】
記録ヘッド３は、シートＰに対向した面の副走査方向に不図示の複数のノズル列を持ち、ノズル列ごとに異なる色のインクを吐出するよう構成される。記録ヘッド３には各色のノズル列に対してインクタンク４より供給チューブ５を介してインクが供給される。又、キャリア２は、本体１Ａのフレーム６に両端部が固定され、互いに平行に配置されたガイドシャフト７とガイドレール８に沿って摺動可能に支持されている。
【００１７】
そして、このキャリア２を往復移動させながら記録ヘッド３よりシートＰに向けてインクを吐出することにより、シート上に画像が記録される。尚、このキャリア２は不図示のベルト駆動装置とモータとにより往復移動される。
【００１８】
図４はインクジェットプリンタ１の概略構成を示す断面図である。
【００１９】
図４において、１Ｂは給紙装置である。給紙装置１Ｂは、本体１Ａに着脱自在に装着されたシート積載手段である給紙カセット１０と、給紙カセット１０に積載されたシートＰを送り出すシート給送手段である給紙ローラ１５と、を備えている。
【００２０】
ここで、給紙カセット１０は、シート送り出し方向下流側端部に給紙ローラ１５の回転により送り出されたシートＰに当接してシートＰを分離するための斜面部材である分離板１９を設けている。
【００２１】
又、給紙ローラ１５は、給紙カセット１０の上方に設けられ、給紙ローラ１５よりも上流側に位置している支点１４ａにより回動自在に支持されている支持部材である給紙アーム１４に回転自在に、且つ、給紙カセット１０に積載されたシートＰに接離可能に保持されている。
【００２２】
そして、画像記録の際には、給紙ローラ１５の自重と給紙アーム１４の下方への回動により、給紙ローラ１５は給紙カセット１０に積載されたシートＰの最上部のシートＰ１に当接する。そして、給紙ローラ１５は不図示の駆動源からギア列等の伝達装置により回転する。
【００２３】
又、図４において、９は搬送ローラ、２４はＵターンローラ、２３はＵターンローラ２４に対向する位置に設けられたローラガイドである。給紙ローラ１５の回転により送り出されたシートＰ１は、このＵターンローラ２４とローラガイド２３との間に形成されたシート搬送通路Ｒを通過して搬送ローラ９に向けて搬送される。
【００２４】
次に、このような構成のインクジェットプリンタ１の画像記録動作について説明する。
【００２５】
先ず、給紙ローラ１５の自重と給紙アーム１４の下方への回動により、給紙ローラ１５が給紙カセット１０に積載されたシートＰの最上位のシートＰ１に当接する。そして、この状態で給紙ローラ１５が回転すると、シートＰが送り出される。そして、分離板１９により最上位のシートＰ１のみ分離され（斜面分離）、分離板１９に当接しながらローラガイド２３まで搬送される。
【００２６】
最上位のシートＰ１は、シート搬送通路Ｒに進入し、Ｕターンローラ２４の回転により搬送ローラ９とピンチローラ１２とのニップ部に導かれる。シートＰ１は、搬送ローラ９及びピンチローラ１２に挟まれた状態で記録ヘッド３と対向する記録位置に設けられたプラテン２５まで搬送される。
【００２７】
次に、このようにプラテン２５に搬送されたシートＰ１に対し、キャリア２に搭載された記録ヘッド３による記録動作が開始される。記録ヘッド３による１走査分の記録が終了すると、一旦記録動作を中断し、プラテン２１上に位置するシートＰ１を搬送ローラ９にて所定量だけ搬送する。そして、再びキャリア２をガイドシャフト７に沿って移動させながら次の１走査分の記録を行う。このようにして、プラテン２５上で順次記録ヘッド３による記録が行われた後、シートは排紙ローラ１１ａと排紙拍車１１ｂにより、カセットカバー１３上に排紙される。
【００２８】
尚、図３において、１１はヘッド回復手段である。ヘッド回復手段１１は、キャリア２が移動範囲の一端付近に設けられたホームポジションに移動した際、記録ヘッド３と対向する位置に設けられている。そして、このヘッド回復手段１１を待機中、記録動作前後、若しくは１行毎の記録の合間に作動させ、記録ヘッド３に対してキャッピング、吸引、ワイピング等の動作を行わせることにより、記録ヘッド３の目詰まり等を防止して記録ヘッド３の性能を保持している。
【００２９】
図１は給紙ローラ１５の駆動を分かりやすく略した平面図である。
【００３０】
駆動源であるモータ３０からの駆動は駆動伝達手段であるギア３１ａ〜３１ｃ、トルクリミッタ３２を介し、駆動軸１４ａに伝達される。給紙アーム１４はワンウェイクラッチ３３を介し、駆動軸１４ａに図２の矢印Ｂ１方向に回転自在に取り付けられている。駆動軸１４ａからの駆動は、プーリ３４ａ、ベルト３５、プーリ、ギア３４ｂ、ギア３４ｃにより給紙ローラ１５に伝達される。駆動軸から給紙ローラの駆動はギアのみで伝達しても構わない。
【００３１】
次に、シートを給紙する時の動作を図２を用いて説明する。
【００３２】
シート搬送時には駆動軸１４ａは矢印Ａ１方向に回転する。ワンウェイクラッチ３３はフリー方向なので、ベルト３５とギア３４を介して、給紙ローラ１５は矢印Ａ２方向に回転しシートが給紙される。シートが下流のローラのニップに噛んだら、モータを逆転させる。すると、駆動軸１４ａは矢印Ｂ１方向に回転する。この時、ワンウェイクラッチ３３はロック方向なので、給紙アーム１４は駆動軸１４ａと同様に矢印Ｂ１方向に回転する。すると、給紙ローラ１５は矢印Ｂ２方向に持ち上がり、規制部材３５に突き当たる。
【００３３】
その後もモータ３０は回転し続けるが、トルクリミッタ３２によって、駆動は駆動軸１４ａに伝わらず、ギア３１は空転するため、モータ３０やギア３１の破損は起こらない。
【００３４】
トルクリミッタ３２の滑りトルクは駆動軸１４ａが給紙アーム１４を持ち上げるトルクよりも大きく、駆動軸１４ａをロックさせてモータが脱調するトルクより小さくしなければならない。
【図面の簡単な説明】
【００３５】
【図１】本発明の実施形態の給紙部を説明する平面図である。
【図２】本発明の給紙中の動作を説明する断面図である。
【図３】本発明の実施形態の傾斜部材を備えた記録装置であるインクジェットプリンタの斜視図である。
【図４】上記インクジェットプリンタの概略構成を示す断面図である。
【図５】従来の給紙装置の概略構成を示す断面図である。
【図６】従来の給紙装置で記録動作中の断面図である。
【符号の説明】
【００３６】
Ｐ    シート
１    インクジェットプリンタ
１Ａ  プリンタ本体
１Ｂ  給紙装置
２    キャリア
３    記録ヘッド
３Ａ  画像記録部
１０  給紙カセット
１４  アーム
１４ａ  駆動軸
１５  給紙ローラ
３２  トルクリミッタ
３３  ワンウェイクラッチ
【図１】
2006264905.tif 000003
【図２】
2006264905.tif 000004
【図３】
2006264905.tif 000005
【図４】
2006264905.tif 000006
【図５】
2006264905.tif 000007
【図６】
2006264905.tif 000008